(57)【特許請求の範囲】
【請求項１】
本体部筐体と、
この本体部筐体に対して開位置および閉位置をとる蓋部筐体と、
この蓋部筐体に設けられメニュー品目の注文情報を入力するキーを有する入力部と、
この入力部からの前記注文情報を表示する前記本体部筐体に設けられた表示部と、
これらの表示部および入力部と前記本体部筐体および蓋部筐体の閉により対面しない位置もしくは通常の磁束検出距離以上となるような位置に前記蓋部筐体に設けられた磁石と、
この磁石に吸着して前記本体部筐体および前記蓋部筐体の開閉状態を閉状態に保持し前記本体部筐体に設けられた磁性の板金と、
この板金から導かれる磁力の磁気センサと、
この磁気センサからの前記磁力の大きさにより前記蓋部筐体の開閉を検知し、入力および表示を制御する前記本体部筐体に設けられた制御部とを備え、
前記板金は、前記本体部筐体および前記蓋部筐体が閉じられたときに前記磁石と対面する一端部、およびこの一端部から下方に屈曲し前記一端部から前記磁気センサまでの距離よりも短い間隔のギャップを介してこの磁気センサへ前記磁力を誘導する他端部を備える注文端末。
【請求項２】
前記蓋部筐体に、前記磁石の外面に重なる内底とその軸方向端面に重なる内壁を有するヨークが更に設けられたことを特徴とする請求項１記載の注文端末。
【請求項３】
本体部筐体と、
この本体部筐体に対して開位置および閉位置をとる蓋部筐体と、
この蓋部筐体に設けられメニュー品目の注文情報を入力するキーを有する入力部と、
この入力部からの前記注文情報を表示する前記本体部筐体に設けられた表示部と、
これらの表示部および入力部と前記本体部筐体および蓋部筐体の閉により対面しない位置もしくは通常の磁束検出距離以上となるような位置に前記蓋部筐体に設けられた磁石と、
この磁石に吸着して前記本体部筐体および前記蓋部筐体の開閉状態を閉状態に保持し前記本体部筐体に設けられた磁性の板金と、
この板金から導かれる磁力の磁気センサと、
この磁気センサからの前記磁力の大きさにより前記蓋部筐体の開閉を検知し、入力および表示を制御する前記本体部筐体に設けられた制御部とを備え、
前記板金は、前記本体部筐体および前記蓋部筐体が閉じられたときに前記磁石と対面し、この板金の下方に磁性のネジを備える注文端末。
【請求項４】
前記ネジを前記本体部筐体に共締めする他の磁性の板金を備えることを特徴とする請求項３記載の注文端末。
【発明の詳細な説明】
【技術分野】
【０００１】
一実施形態は注文端末に関する。
【背景技術】
【０００２】
飲食店では店員が蓋を開けてオーダを入力する注文入力携帯端末が使われている（例えば特許文献１参照）。従来、マグネットからの磁力を磁気センサに導く磁性体を備えた携帯端末および開閉検出装置が知られている（例えば特許文献２参照）。携帯電話機や電子機器はヒンジ機構によって互いに開閉可能にされた第１及び第２の筐体を有し、マグネットと磁気センサとを利用して開閉を検出する（例えば特許文献３−７参照）。
【先行技術文献】
【特許文献】
【０００３】
【特許文献１】特開２００７−３１６８０８号公報
【特許文献２】特開２００５−４４１１０号公報
【特許文献３】特開２００４−２０２８９号公報
【特許文献４】特開２００３−２８３６２１号公報
【特許文献５】特開２０１０−８５８６８号公報
【特許文献６】特開２００３−１６６８２６号公報
【特許文献７】特開２０１０−２０６２３８号公報
【発明の概要】
【発明が解決しようとする課題】
【０００４】
しかし上述した従来技術では、注文端末は蓋部の開閉を検知することができない。注文の入力操作が終わったときに蓋部が閉じたことや、蓋部が開いたことを注文端末が検知できない。注文端末は表示画面への通電のオフ、オフのタイミングを得られない。
【課題を解決するための手段】
【０００５】
このような課題を解決するため、一実施形態によれば、本体部筐体と、この本体部筐体に対して開位置および閉位置をとる蓋部筐体と、この蓋部筐体に設けられメニュー品目の注文情報を入力するキーを有する入力部と、この入力部からの前記注文情報を表示する前記本体部筐体に設けられた表示部と、これらの表示部および入力部と前記本体部筐体および蓋部筐体の閉により対面しない位置もしくは通常の磁束検出距離以上となるような位置に前記蓋部筐体に設けられた磁石と、この磁石に吸着して前記本体部筐体および前記蓋部筐体の開閉状態を閉状態に保持し前記本体部筐体に設けられた磁性の板金と、この板金から導かれる磁力の磁気センサと、この磁気センサからの前記磁力の大きさにより前記蓋部筐体の開閉を検知し、入力および表示を制御する前記本体部筐体に設けられた制御部とを備え備え、前記板金は、前記本体部筐体および前記蓋部筐体が閉じられたときに前記磁石と対面する一端部、およびこの一端部から下方に屈曲し前記一端部から前記磁気センサまでの距離よりも短い間隔のギャップを介してこの磁気センサへ前記磁力を誘導する他端部を備える注文端末が提供される。
また、別の一実施形態によれば、本体部筐体と、この本体部筐体に対して開位置および閉位置をとる蓋部筐体と、この蓋部筐体に設けられメニュー品目の注文情報を入力するキーを有する入力部と、この入力部からの前記注文情報を表示する前記本体部筐体に設けられた表示部と、これらの表示部および入力部と前記本体部筐体および蓋部筐体の閉により対面しない位置もしくは通常の磁束検出距離以上となるような位置に前記蓋部筐体に設けられた磁石と、この磁石に吸着して前記本体部筐体および前記蓋部筐体の開閉状態を閉状態に保持し前記本体部筐体に設けられた磁性の板金と、この板金から導かれる磁力の磁気センサと、この磁気センサからの前記磁力の大きさにより前記蓋部筐体の開閉を検知し、入力および表示を制御する前記本体部筐体に設けられた制御部とを備え、前記板金は、前記本体部筐体および前記蓋部筐体が閉じられたときに前記磁石と対面し、この板金の下方に磁性のネジを備える注文端末が提供される。
【図面の簡単な説明】
【０００６】
【図１】一実施形態に係る注文端末の正面図である。
【図２】一実施形態に係る注文端末の閉状態での断面構造を示す図である。
【図３】実施の形態の第１の変形例に係る注文端末の閉状態での断面構造を示す図である。
【図４】実施の形態の第２の変形例に係る注文端末の閉状態での断面構造を示す図である。
【図５】実施の形態の第３の変形例に係る注文端末の閉状態での断面構造を示す図である。
【発明を実施するための形態】
【０００７】
以下、実施の形態に係る注文端末について、図１乃至図５を参照しながら説明する。尚、各図において同一箇所については同一の符号を付すとともに、重複した説明は省略する。
【０００８】
（一実施形態）
図１は一実施形態に係る注文端末の正面図である。図２は一実施形態に係る注文端末の閉状態での図１中ＡＡ′間の断面構造を示す図である。これらの図中、同じ符号は互いに同じ要素を表す。本実施形態に係る注文端末は飲食店等において店員が顧客からの注文を受付けて入力する業務用のハンディターミナルである。ハンディターミナル１０は本体部１１と蓋部１２とを有し、ヒンジ機構１３を介して蓋部１２が本体部１１に対して開閉自在になっている。
【０００９】
このハンディターミナル１０は、本体部筐体１４と、この本体部筐体１４に対して開閉可能な蓋部筐体１５と、この蓋部筐体１５に設けられそれぞれメニュー品目の注文情報を入力する複数のメニューキーを有するキー入力部１６（入力部）と、本体部筐体１４に設けられキー入力部１６によって入力された注文情報を表示する画面表示部１７（表示部）と、この画面表示部１７の画面の下段部に設けられ画面表示部１７上に重ねられたキーシート１８とを備えている。
【００１０】
更にハンディターミナル１０は、図２に示されるように、蓋部筐体１５側にこの画面表示部１７およびキー入力部１６の複数のキー領域と異なる位置に設けられた磁石１９と、本体部筐体１４に設けられ磁石１９に吸着して本体部筐体１４及び蓋部筐体１５が閉じられたときにこれらの本体部筐体１４及び蓋部筐体１５を閉状態に保持する板金２０と、この板金２０から導かれる磁力の磁気センサ２１と、画面表示部１７の下方に本体部筐体１４に設けられ磁気センサ２１からの磁力の大きさにより蓋部筐体１５の開閉を検出し、表示及び入力の制御を行う制御部２２とを備えている。
【００１１】
ヒンジ機構１３内には、制御部２２とキー入力部１６間を電気的に接続するフレキシブルプリント配線基板が通されている。本体部筐体１４、蓋部筐体１５はそれぞれ側壁２３、２４を有する。これらの側壁２３及び側壁２４は本体部１１と蓋部１２とが折り畳まれると当接し、キー入力部１６及び画面表示部１７が対向する。図１のキー入力部１６の複数のメニューキーはマトリックス状に配列されている。これらのメニューキーのキートップには各種の文字が印刷されている。あるいは各キーの真上に位置するようにキー名を印刷された紙がキー入力部１６の表面上に挿入されている。文字種を例示すると、「コーヒー」、「カレー」、「サラダ」、「デザート」等のメニュー品目キー、確認キー、エンターキー、追加キー等である。図２に示すようにハンディターミナル１０は本体部１１にＬＣＤ（ｌｉｑｕｉｄ ｃｒｙｓｔａｌ ｄｉｓｐｌａｙ：液晶表示器）２５と、このＬＣＤ２５の表示面上に積層されて取付けられたタッチパネル２６と、このタッチパネル２６の表面の保護シート２７とを備えている。これらのＬＣＤ２５、タッチパネル２６及び保護シート２７が一体となってタッチ入力式の表示画面を構成している。更に側壁２３が四方からそれぞれ画面中央に張り出して矩形の開口が形成されており、この開口からこの表示画面が露出して画面表示部１７が形成されている。キーシート１８にはメンブレーンキーが用いられる。キーシート１８は数字を表示するテンキー、上下の矢印を表示する矢印キー、「送信」と表示された送信キー等を含む。ハンディターミナル１０は、タッチパネル２６と共に、キー入力部１６及びキーシート１８への操作入力によっても注文情報の入力を受付ける。
【００１２】
また、磁石１９は本体部筐体１４及び蓋部筐体１５の閉状態を保持する吸着用の永久磁石である。磁石１９には残留磁束が弱い磁性体が用いられる。磁石１９は例えばフェライト系金属酸化物磁性体である。磁石１９には希土類コバルト合金磁性体あるいはネオジウム鉄ボロン系合金磁性体が用いられてもよい。板金２０にはこの磁石１９によって磁化される磁性体が用いられる。板金２０は磁石１９の長手方向のサイズと同じ程度の長手方向のサイズを有し、この長手方向に沿う辺部から下方に屈曲された部分を有する。この板金２０は閉状態の時に磁石１９と対面する面部位を持つ一端部２８及びこの一端部２８から下方に屈曲し一端部２８から磁気センサ２１までの距離よりも短い間隔のギャップＧを介してこの磁気センサ２１へ磁力を誘導する他端部２９を有する。つまり板金２０は磁石１９と磁気センサ２１との間に亘ってＬ字状の形状を有する。Ｌ字状とはＬ字を上下に折返した逆さＬ字状を言う。ハンディターミナル１０は屈曲形状を変更した板金２０を用いてもよい。例えば一端部２８から垂下して側壁２３へ屈曲してから磁気センサ２１側へ折返したＳ字状の板金２０をハンディターミナル１０は用いてもよい。Ｓ字状とはＳ字を上下に折返した逆さＳ字状を言う。Ｓ字状の形状を持つ板金２０を用いた場合、ハンディターミナル１０は他端部２９を制御部２２まで近づけることが可能にされる。
【００１３】
磁気センサ２１は磁力を検出する。磁力とは磁界の強さ又はこの磁界の強さに空気中の透磁率を乗じた磁束密度を言う。例えば磁気センサ２１は、それぞれ磁力によってインピーダンスを変化させる一対の磁性体と、これらの磁性体へ印加される高周波発振器と、一対の磁性体のこの周波数でのインピーダンスの変化を検出するための一対の抵抗器と、電圧源とを備え、これらがブリッジ接続されて構成された磁気検出用のブリッジ回路である。
【００１４】
制御部２２は商品注文受け付け用のアプリケーションプログラムを実行し、全体制御を行う。制御部２２は底部の間仕切り壁３０上に取付けられたメインボード（主基板）３３と、このメインボード３３上に設けられた制御回路３４とを有する。制御回路３４はＣＰＵ（ｃｅｎｔｒａｌ ｐｒｏｃｅｓｓｉｎｇ ｕｎｉｔ）、ＲＯＭ（ｒｅａｄ ｏｎｌｙ ｍｅｍｏｒｙ）、ＲＡＭ（ｒａｎｄｏｍ ａｃｃｅｓｓ ｍｅｍｏｒｙ）と、ドライバＩＣ（ｉｎｔｅｇｒａｔｅｄ ｃｉｒｃｕｉｔ）等とを有する。ドライバＩＣとはタッチパネル２６、キー入力部１６やキーシート１８からの入力信号を取込む機能や、画像データに応じた画像をＬＣＤ２５に表示させる機能、及び無線送受信部３１（図１）の通信インターフェースを行う機能などを持つコントローラを言う。この無線送受信部３１は、店内に設置された無線中継器との間で無線通信を実行する。ハンディターミナル１０はバッテリ３２を本体部筐体１４に有する。
【００１５】
このような構成のハンディターミナル１０は図２のように本体部１１及び蓋部１２が閉じられた状態で店員のポケットに入れられている。この状態では磁石１９と板金２０とが吸着する。磁石１９による磁力の大きさは、この磁石１９の磁力が磁気センサ２１によって実質検知されない程度の大きさを有する。磁石１９はこの磁石１９よりも下方の磁気センサ２１に対して直接の磁力が届かないように取付けられている。この磁力が届かないように、磁石１９はこの磁石１９自身の材質、サイズ及び着磁方向を決められている。本体部１０の底部の磁気センサ２１が上方からの直接の磁力を検知しない程度にこの磁気センサ２１の感度は決められている。ハンディターミナル１０は板金２０によってこの板金２０内部で磁石１９の磁力を導き、磁力を磁気センサ２１へ誘導させる。Ｌ字状あるいはＳ字状に屈曲した板金２０によって磁気センサ２１には安定的な強さを持つ磁力が供給される。制御部２２はハンディターミナル１０が閉状態であることを検出する。
【００１６】
一方、客席において店員による操作により本体部１１に対して蓋部１２が開かれようとする。板金２０から磁石１９が離れる。板金２０の一端部２８から磁石１９が遠ざかると、磁気センサ２１は板金２０の他端部２９からの磁束を断たれる。制御部２２は本体部１１に対して蓋部１２が開かれたことを検知する。ハンディターミナル１０はこのハンディターミナル１０が開状態であることを検出する。
【００１７】
本体部１１及び蓋部１２が開いた開状態では、図１に示すように、メニュー品目が露出する。ハンディターミナル１０は、キー入力部１９により「コーヒー」を操作入力され、キーシート１８により人数例えば「２」を操作入力され、及び「送信」キーを押下される。制御部２２はこれらの「コーヒー」、「２」という情報を含む注文データを生成する。無線送受信部３１はこの注文データを無線送信する。天井等に設置された中継器を介してハンディターミナル１０は店内システムの無線受信器へ電波を送信する。無線受信器は注文データを正常に受信すると、ハンディターミナル１０に対して確認応答メッセージを含む無線信号を送信する。
【００１８】
注文動作が完了するとユーザ操作によって本体部１１及び蓋部１２が閉じられる。磁石１９が板金２０に吸着する。磁気センサ２１は磁力を検知し始める。制御部２２はハンディターミナル１０が閉状態であることを検出する。このようにハンディターミナル１０は開閉検知を可能となる。板金２０が磁力を誘導し、板金２０と磁気センサ２１までの距離を短くすることで、磁気センサ２１が画面表示部１７の下部に配置されていてもハンディターミナル１０は検出動作を可能になる。
【００１９】
従来例による注文入力携帯端末は、開閉検知の方法例としてキー入力の休止時間のタイムアップによってこの注文入力携帯端末が操作中かどうかの判断を行っている。従来例では、注文データの送信し忘れや送信エラー時にはエラー音の鳴動やバイブレータによる振動といった警告を実施しており、ＬＣＤ及びタッチパネルへのバッテリの通電を切ること等を実施している。注文入力携帯端末は通常、従業員のポケットなどに入れて携行されるため、ポケットに注文入力携帯端末が入れられてしまったときにはエラー音を人が聞こえにくい。バイブレータの振動を人が感じにくい。不必要に画面のバックライトへの電源をつけているような状態となり無駄にバッテリを消耗する。タイマ検知式の開閉検知方法では、蓋部を閉じた後、ある程度の時間が経過した後に、エラー音やバイブレータを駆動するため、蓋部の開きっ放しを検知しにくい。また、従来例による注文入力携帯端末はキー入力で電源をオンにすることにより端末の状態をサスペンド状態から復帰させており、蓋部が開いたことを検知しにくい。これに対してハンディターミナル１０によれば、開閉操作の直後に開閉を素早く検知できる。
【００２０】
また、従来例による注文入力携帯端末が開閉検知機構を設けることは困難である。開閉検知機構として、一般的にはメカ（接点）スイッチなどが安価であること等のため知られているが、注文入力携帯端末は防水性を要求されており、メカ（接点）スイッチによる蓋の開閉検知が難しい。これに対してハンディターミナル１０によれば、接点式のスイッチを用いずに検知を行える。
【００２１】
また、ハンディターミナル１０によれば、保持用の単体の磁石１９と別個にわざわざ磁気センサ用の磁石を持たないで検知を行える。磁石は高価であるため、ハンディターミナル１０では価格競争力という意味で別個の磁気センサ用の磁石を搭載せずに磁石１９に閉保持機能と磁力誘導機能とを兼用させて検知を行える。仮に保持用磁石と磁気誘導検出用磁石とを別用途としてそれぞれを搭載する場合、この保持用磁石の磁力が強すぎると漏れ磁束により磁気カードに記録されたポイントデータや時計などに悪影響を及ぼす。保持用磁石では吸着力が強くなり過ぎて蓋部が開きにくくなる。保持用の磁石の磁力を強くすることはできない。これに対してハンディターミナル１０によれば、磁石１９が閉状態の保持及び磁気誘導検出を兼用するため、安価な構成で検知機能を実現できる。
【００２２】
また、従来例による注文入力携帯端末が開閉検知を行えないという問題に対して保持用の一個の磁石を単に注文入力携帯端末に搭載することだけでは、保持用磁石及び磁気センサ間の距離とその位置関係とに制約が存在する。例えばスペース上の制約が存在する。画面表示部は平坦なパネル形状であるため、メインボードを画面表示部の下方に設けるという構造を注文入力携帯端末はとる。注文入力携帯端末は本体部を薄厚にするために本体部の底部にメインボードを配置せざるを得ない。更に従来例による注文入力携帯端末が開閉検知を行えないという問題に対して同一筐体に磁石と磁気センサとを設けて開閉検知を行うことでは、これらの磁石及び磁気センサ間の距離が近いため、常に磁気センサが磁力を検知しまい、設計が難しい。これに対してハンディターミナル１０によれば、磁気センサ２１に良好に磁力を伝えることができる。ハンディターミナル１０は、磁気センサ２１と磁石とがそれぞれ別個の筐体に配置されている点、及び磁性体の板金２０により磁石１９の磁力が不十分であることを補うという点を有する。ハンディターミナル１０は既存部品を使いこなし蓋部１２側に磁石１９を設け、本体部１１側に板金２０を設けている点でも従来例と異なる。
【００２３】
（第１の変形例）
実施の形態に係る注文端末は、保持用の磁石１９の周りにヨークあるいは別の板金を追加することによって磁束を揃え、磁気センサ２１が磁力を検出してもよい。
【００２４】
図３は第１の変形例に係る注文端末の閉状態での図１中ＡＡ′間の断面構造を示す図である。既述の符号はそれらと互いに同じ要素を表す。第１の変形例に係る注文端末はハンディターミナルであり、以下に特に述べない限り上記ハンディターミナル１０の構成と同じ構成を有する。
【００２５】
この変形例によるハンディターミナルはヨーク３５を磁石１９に設ける。このヨーク３５は磁石１９の外面に重なる内底とその軸方向端面に重なる内壁を有する。ヨーク３５により磁石１９のサイズを大きくせず、下方向への磁力が強められるようにされている。ヨーク３５と同等の２つの板金により磁石１９からの磁束を揃えてもよい。これにより、単純に磁石１９のサイズを大きくせずに、及び磁石１９の磁気強さを強くせずに、磁力の外部への影響を軽減させることができる。
【００２６】
また、この変形例によるハンディターミナルは板金２０の代わりに別の吸着用の板金３６を有する。板金３６は磁石１９の長手方向のサイズと同じ程度の長手方向のサイズを有し部分的に下方に屈曲された板金である。板金３６の下方に延びるサイズが、上記板金２０の下方のサイズよりも小さくされている。この板金３６の他端部３７の先端を、磁気センサ２１から少し離すなどしてギャップの間隔を調整することにより、上記一実施形態の例による吸着力の大きさと同じ大きさの吸着力を実現できる。
【００２７】
（第２の変形例）
実施の形態に係る注文端末は、板金２０の代わりにネジを設けて磁気を磁気センサ２１へ誘導してもよい。
【００２８】
図４は第２の変形例に係る注文端末の閉状態での図１中ＡＡ′間の断面構造を示す図である。既述の符号はそれらと互いに同じ要素を表す。第２の変形例に係る注文端末もハンディターミナルであり、以下に特に述べない限り上記ハンディターミナル１０の構成と同じ構成を有する。
【００２９】
図４に示すように、この変形例に係るハンディターミナルは、本体部１１の側壁２３に板金３８を有する。板金３８は磁石１９の長手方向のサイズと同じ程度の長手方向のサイズを有する。板金３８の上面が、画面表示部１７の保護シート２７の上面と同じかの保護シート２７の上面よりも低くされている。板金３８は本体部筐体１４および蓋部筐体１５が閉じられたときに磁石１９と対面する。板金３８はこの板金３８の下方に磁性のネジ３９を備えている。ネジ３９は板金３８の下方にネジ頭４０を有しネジ先がボス４１に差込まれて固定される。ボス４１は本体部１１の間仕切り壁３０上に固定される。これにより、閉状態では、板金３８、ネジ３９をそれぞれ介して磁石１９の磁力を磁気センサ２１へ誘導することができる。
【００３０】
（第３の変形例）
第２の変形例において、ネジ３９を磁性の別の板金と友締めしてもよい。
【００３１】
図５は第３の変形例に係る注文端末の閉状態での図１中ＡＡ′間の断面構造を示す図である。既述の符号はそれらと互いに同じ要素を表す。
【００３２】
図５に示すようにこの変形例に係るハンディターミナルは、上記ネジ３９のネジ長よりも短いネジ４２を有し、このネジ４２を別の磁性の板金４３及びナット４４によって本体部１１内の間仕切り壁３０にネジ止めしている。ネジ４２が本体部１１に共締めされている。これにより、閉状態では、板金３８、ネジ４２、板金４３をそれぞれ介して磁石１９の磁力を磁気センサ２１へ誘導することができる。
【００３３】
（その他）
板金２０の代わりに磁束を誘導する磁性体や金属を蓋部１２に設け、本体部１１にも磁束を通すような磁性体等を設けて磁力を誘導することもできる。板金２０の形状については、この板金２０と磁気センサ２１との間の距離が短くなっても強い磁力を磁気センサ２１に誘導できる形状であれば足りる。上記実施形態では磁石１９は閉状態においてキー入力部１６及び画面表示部１７に対面しない位置に設けられていた。この磁石１９は通常の磁束検出距離以上となるような位置に蓋部筐体１５に設けられる。通常の磁束検出距離以上とは、磁石１９及び磁気センサ２１間の間隔が磁気センサ２１で常時検出状態になってしまう距離よりも離れていることを指す。
【００３４】
尚、上記の実施形態は実施形態そのままに限定されるものでは無く、実施段階ではその要旨を逸脱しない範囲で構成要素を変形して具体化できる。上記の実施形態では、液晶表示器を表示部に用いたが、表示部は有機ＥＬ（Ｅｌｅｃｔｒｏｌｕｍｉｎｅｓｃｅｎｃｅ）素子によるものでもよい。
【００３５】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３６】
１０…ハンディターミナル（実施の形態に係る注文端末）１１…本体部、１２…蓋部、１３…ヒンジ機構、１４…本体部筐体、１５…蓋部筐体、１６…キー入力部、１７…画面表示部、１８…キーシート、１９…磁石、２０…板金、２１…磁気センサ、２２…制御部、２３，２４…側壁、２５…ＬＣＤ、２６…タッチパネル、２７…保護シート、２８…一端部、２９…他端部、３０…間仕切り壁、３１…無線送受信部、３２…バッテリ、３３…メインボード、３４…制御回路、３５…ヨーク、３６…板金、３７…他端部、３８，４３…板金、３９，４２…ネジ、４０…ネジ頭、４１…ボス、４４…ナット。
【図１】
0005503676.tif 000002
【図２】
0005503676.tif 000003
【図３】
0005503676.tif 000004
【図４】
0005503676.tif 000005
【図５】
0005503676.tif 000006